(57)【要約】【課題】各種電子機器の操作部分に使用されるプッシュオンスイッチに関し、防滴性能に優れたものを提供することを目的とする。【解決手段】上面開口の略円形凹部の底面に複数の固定接点２、３を有した箱型に形成されたケース１１の上記略円形凹部に隣接する上面位置に、略円形凹部を取り囲む窪み１２を設けたものとして、その窪み１２上を覆うようにしてケース１１の上面にカバー７をその下面に形成された粘着剤８で貼付した構成とした。【選択図】図１
2009146630.tif 000002
【特許請求の範囲】
【請求項１】
上面開口の凹部内底面に複数の固定接点が設けられた絶縁樹脂製のケースと、上記凹部内に配されて上記複数の固定接点間を接離動作させるドーム状の可動接点と、上記ケースの凹部上を覆って下面の粘着剤で上記ケース上面に貼付された絶縁フィルム製のカバーとを備え、上記ケース上面には上記凹部の外周を取り囲む窪みが設けられ、上記カバーが上記粘着剤によって上記凹部および上記窪み上を覆って貼付されていることを特徴とするプッシュオンスイッチ。
【請求項２】
カバーの粘着剤が、少なくともケース上面に設けられた窪みの部分には設けられてなく、上記カバーの素地下面が露出している請求項１記載のプッシュオンスイッチ。
【発明の詳細な説明】
【技術分野】
【０００１】
本発明は、各種電子機器の操作部分に使用される軽い押圧操作により動作するプッシュオンスイッチに関するものである。
【背景技術】
【０００２】
各種電子機器の操作部分に使用される従来のプッシュオンスイッチについて、図４〜図５を用いて説明する。
【０００３】
図４は従来のプッシュオンスイッチの断面図、図５は同分解斜視図である。
【０００４】
同図において、１は上面開口の凹部を備えた箱型形状に形成された絶縁樹脂製のケースであり、その凹部底面の中央に中央固定接点２を備えると共に、上記中央固定接点２を中心として外側の点対称位置の２ヶ所には外側固定接点３が配され、それら中央固定接点２および外側固定接点３にそれぞれ繋がる端子４および５はケース１の外方に導出されている。６は弾性金属薄板からなり、中央部が上方に膨らんだ円形ドーム状の可動接点で、その外周下端が上記外側固定接点３上に載っている。７は下面に粘着剤８が印刷などにより設けられたポリイミド樹脂などの絶縁フィルムからなるカバーであり、その下面の粘着剤８でケース１凹部を構成する壁部上面に貼付されて凹部上を覆っている。
【０００５】
以上のように従来のプッシュオンスイッチは構成され、次に、その動作を説明すると、カバー７の上方から可動接点６のドーム状の中央部分を押圧していくと、カバー７を介して可動接点６に押圧力が加わり、所定の押圧力を越えると、可動接点６のドーム状に膨らんだ中央部分が下方に膨らんだ状態に弾性反転し、中央部分の下面が対峙した中央固定接点２に接触する。これにより、可動接点６を介して、外側固定接点３と中央固定接点２との間が導通、つまり対応する端子４および５間が導通したスイッチオン状態となる。
【０００６】
そして、上記の加えていた押圧力を解除していくと、所定の押圧力で可動接点６の下方に膨らんだ部分が弾性復帰して、可動接点６の中央固定接点２に接触していた下面が離れ、元の図４に示した端子４および５が電気的に独立したスイッチオフ状態に戻るものであった。
【０００７】
なお、この出願の発明に関連する先行技術文献情報としては、例えば、特許文献１が知られている。
【特許文献１】特開２００３−２９７１７５号公報
【発明の開示】
【発明が解決しようとする課題】
【０００８】
しかしながら上記従来のプッシュオンスイッチにおいては、カバー７をケース１の凹部上を覆うようにして下面の粘着剤８によりケース１上面に貼付していた。ここに、その貼付箇所における粘着剤８とケース１上面との間には微細な隙間が生じており、特異な環境で使用されると、その隙間から水などの液体が毛細管現象で凹部内にしみ込んでスイッチ接点間の接触不安定現象が発生することもあるという課題があった。
【０００９】
本発明は、このような従来の課題を解決するものであり、カバーの粘着剤とケース上面との間に微細な隙間が生じていても、接点間の接触不安定状態が発生し難い防滴性能に優れたプッシュオンスイッチを提供することを目的とする。
【課題を解決するための手段】
【００１０】
上記目的を達成するために本発明は、以下の構成を有するものである。
【００１１】
本発明の請求項１に記載の発明は、上面開口の凹部内底面に複数の固定接点が設けられた絶縁樹脂製のケースと、上記凹部内に配されて上記複数の固定接点間を接離動作させるドーム状の可動接点と、上記ケースの凹部上を覆って下面の粘着剤で上記ケース上面に貼付された絶縁フィルム製のカバーとを備え、上記ケース上面には上記凹部の外周を取り囲む窪みが設けられ、上記カバーが上記粘着剤によって上記凹部および上記窪み上を覆って貼付されていることを特徴とするプッシュオンスイッチとしたものであり、カバーの粘着剤とケース上面との間の微細な隙間に毛細管現象でしみ込んだ水などの液体が、ケースの凹部を取り囲む窪み部分で遮られるものにでき、このため、接触の安定した防滴性能に優れたプッシュオンスイッチを実現することができるという作用を有する。
【００１２】
請求項２に記載の発明は、カバーの粘着剤が、少なくともケース上面に設けられた窪みの部分には設けられてなく、上記カバーの素地下面が露出しているものであり、カバーの素地下面の表面粗さは小さいため、上記構成であれば、粘着剤とケース上面との間の隙間に毛細管現象でしみ込んだ水などの液体が、上記箇所で露出されたカバーの素地表面を滲むように伝うことも排除でき、これによって防滴性能をより優れたものにすることができるという作用を有する。
【発明の効果】
【００１３】
以上のように本発明によれば、カバーの粘着剤とケース上面との間に生じた微細な隙間による毛細管現象で水などの液体がしみ込んできても、ケース凹部を取り囲む窪みによって、そのしみ込みを遮断できる接触の安定した防滴性能に優れたプッシュオンスイッチを提供することができるという有利な効果が得られる。
【発明を実施するための最良の形態】
【００１４】
以下、本発明の実施の形態について、図１〜図３を用いて説明する。なお、従来の技術の項で説明した構成と同一構成の部分には同一符号を付して、詳細な説明を簡略化する。
【００１５】
（実施の形態）
図１は本発明の一実施の形態によるプッシュオンスイッチの断面図、図２は同分解斜視図である。
【００１６】
同図において、１１は上面開口の略円形凹部を有した箱型形状に形成された絶縁樹脂製のケースであり、その略円形凹部の底面中央には中央固定接点２と、その中央固定接点２を中心とした点対称位置の２ヶ所に外側固定接点３が配置され、それら中央固定接点２および外側固定接点３それぞれに繋がる端子４および５が上記ケース１１の外方に導出されている。そして、中央部が上方に膨出した弾性金属薄板からなる円形ドーム状の可動接点６が、上記外側固定接点３上に載置されて上記ケース１１の略円形凹部内に収容され、絶縁フィルムからなるカバー７がその下面に備えられた粘着剤８でケース１１の壁部上面に貼付されている。これらは、従来のものと同じ構成となっている。
【００１７】
そして、本発明によるプッシュオンスイッチは、上記ケース１１の略円形凹部に隣接する壁部上面位置に、その略円形凹部の外周を取り囲む窪み１２を設けたものとしている。当該窪み１２は、断面形状が上方開口のコ字形状で、幅が０．５ｍｍ、深さが０．２ｍｍの溝状のもので設けている。そして、上記窪み１２を設けたケース１１の壁部上面は、窪み１２を挟んで内周部と周囲部に分かれ、その同一高さで形成された内周部および周囲部の上面に、カバー７は、下面の粘着剤８によって貼付されて、上記略円形凹部や窪み１２上の位置を含めてケース１１上を完全に覆っている。このとき、窪み１２位置では、図１にも示しているように、窪み１２の内底部とケース１１上面に貼付されたカバー７の粘着剤８下面との間に空間が確保されるものとして構成している。
【００１８】
以上のように、本実施の形態によるプッシュオンスイッチは構成されている。なお、その動作は従来例で説明した動作と同じであるので説明を省略する。
【００１９】
そして、本実施の形態によるものであれば、カバー７の粘着剤８とケース１１の上面との間の微細な隙間により、毛細管現象が生じて水などの液体が外周側からしみ込んでいったとしても、略円形凹部を取り囲む窪み１２部分で空間が設けられたものとなっているため、窪み１２の外周側上方端部位置を境にその毛細管現象が阻害されて液体の浸透が止まる。これにより、ケース１１の略円形凹部の内側に液体がしみ込むことを防止でき、スイッチの接触不安定状態が発生し難い防滴性能に優れたプッシュオンスイッチを実現することができる。
【００２０】
なお、ケース１１上面の窪み１２の断面形状は、コ字形状に限られるものではなく、窪み１２によってカバー７の粘着剤８下面とケース１１の上面との間に所定空間が確保される形状（幅、深さ）であれば良い。なお、窪み１２は上面視で閉じられた環状の形状で構成しておくことは重要である。
【００２１】
また、カバー７を図３の要部断面図に示すものとしても良い。
【００２２】
図３に示すカバー１３としては、下面に設けられた粘着剤１４が、ケース１１の上面の窪み１２に対応する位置には設けられていないものとしている。つまり、窪み１２の上方となる位置は、カバー１３の素地下面が露出したものとなっている。なお、本実施の形態で用いたカバー７、１３は、ポリイミド樹脂フィルムからなり、その素地表面粗さは、０．０１０〜０．１００μｍである。
【００２３】
そして、図３に示したものであれば、カバー１３の粘着剤１４とケース１１の上面との間の微細な隙間に毛細管現象が生じて水などの液体が外周側からしみ込んでいっても、窪み１２の外周側上方端部位置を境にその毛細管現象が阻害される。また、それに加えて窪み１２上に位置する部分では、粘着剤１４下面の微細な凹凸状態よりも表面粗さが小さいカバー１３下面の素地表面を露出させたものとしているため、粘着剤１４下面の微細な凹凸部分であれば液体が滲むように伝うこともあるが、それよりも表面粗さが小さいカバー１３下面の素地表面が露出した上記箇所においては、カバー１３の素地表面を滲むように伝うことを含めて排除でき、さらに防滴性能が優れたものにできて接触安定性に優れたものに実現できる。
【００２４】
なお、上記には、略円形凹部を取り囲む窪み１２を一つのみ形成したものについて説明したが、独立した窪みを二つ以上形成して略円形凹部の周囲を多重に取り囲むものなどとしてもよい。
【産業上の利用可能性】
【００２５】
本発明によるプッシュオンスイッチは、カバーの粘着剤とケース上面との間の微細な隙間にしみ込んできた水などの液体の浸入を窪みで遮断できるものに実現できて、接触の安定した防滴性能に優れたものにできるという有利な効果を有し、各種電子機器の操作部分を構成する際等に有用である。
【図面の簡単な説明】
【００２６】
【図１】本発明の一実施の形態によるプッシュオンスイッチの断面図
【図２】同分解斜視図
【図３】他の形態のカバーを用いた構成としたプッシュオンスイッチの要部断面図
【図４】従来のプッシュオンスイッチの断面図
【図５】同分解斜視図
【符号の説明】
【００２７】
２  中央固定接点
３  外側固定接点
４、５  端子
６  可動接点
７、１３  カバー
８、１４  粘着剤
１１  ケース
１２  窪み
【図１】
2009146630.tif 000003
【図２】
2009146630.tif 000004
【図３】
2009146630.tif 000005
【図４】
2009146630.tif 000006
【図５】
2009146630.tif 000007